(57)【要約】【課題】キャラクター人形やフィギュア、筆記用具、携帯化粧品など形状が立体的な好みの小物を、服やバッグに吊り下げられると共に、小物の複数の面に接着して強固に接合することができる小物吊り下げホルダーを提供するものである。【解決手段】本体部２の上部に、半割りリング状のフックの連結部３を設け、本体部２の下部に、可撓性のあるフェルト４で形成した２本のアーム５を外側に向かって広げて直線状に取付け、このアーム５の底面に接着剤層６を形成し、この表面に剥離紙７を取付けたもので、剥離紙７を剥離して接着剤層６を露出させて、このアーム５の接着剤層６をリップスティック１０のキャップ１０Ａの上面と左右側面に押し付けて接着するものである。【選択図】  図３
2015002831.tif 000002
【特許請求の範囲】
【請求項１】
本体部の上部に、フックまたはワンタッチバックルの連結部を形成すると共に、本体部の下部に、可撓性のある材料で形成した複数本のアームを外側に向かって広げて取付け、このアームの底面に、接着剤層を形成し、この表面に剥離紙を取付けたことを特徴とする小物吊り下げホルダー。
【請求項２】
アームが可撓性の布またはプラスチック、もしくは金属板で形成されていることを特徴とする請求項１記載の小物吊り下げホルダー。
【請求項３】
複数本のアームが放射状、花びら状、もしくは動物状に形成されていることを特徴とする請求項１または２記載の小物吊り下げホルダー。
【請求項４】
本体部の表面または内部に、装飾または広告が施されていることを特徴とする請求項１記載の小物吊り下げホルダー。              
【発明の詳細な説明】
【技術分野】
【０００１】
本発明は、接着剤層を設けた取付け部分に多様な形状の小物を簡単に取付けることで、アクセサリーのように小物をバッグに吊り下げたり、身に付けたりすることができる小物吊り下げホルダーに関するものである。
【背景技術】
【０００２】
ファッション性の高い衣服、特に女性服などは、デザインや機能の制約からポケットなどの十分な収納性がないものが多い。このため化粧品や医薬品、文房具、眼鏡、小銭入れなどは、外出時にはバッグなどの小物入れに収納して持ち歩き、必要な時に取り出して使用している。
【０００３】
このため、吊下げ紐を取付けて、キャラクターやカットを描いた平板状のシール本体に吊紐を設けて、底部に粘着用の両面テープを設けたもの（特許文献１）がある。これはシール本体の底面部に設けた両面テープの剥離紙を剥ぎとり、吊り下げるファイルや紙袋、カタログなどの平面的な小物の表面に貼付けることにより、紐つきのハンガー小物ができるものである。
【０００４】
しかしながら、この構造は吊り下げる物が平面的な物に限られ、その片面に接着するもので、吊り下げる物の形状が限定される上、一面での接着となるので接着強度が低い問題がある。
【０００５】
また小型化粧品などの携行する小物に、着脱自在に連結する連結キャップを設け、この上端にストラップを取付けた吊り下げ具セット（特許文献２）も従来提案されている。この吊り下げ具は連結キャップに、化粧品などの蓋体に着脱自在に連結して吊り下げるものである。
【０００６】
しかしながら、この吊り下げセットの連結キャップは、化粧品などの小物の蓋体に着脱自在に連結するもので、蓋体の形状に合わせて連結キャップを形成しなければならず、吊り下げる蓋体の形状が限定され、好みの化粧品やアクセサリーなど種々の小物を吊り下げることができない欠点があった。
【０００７】
また現在はキャラクター人形や、フィギュア、筆記用具、携帯化粧品などの小物は、小物自体を吊り下げられるようにしてアクセサリーにしたいと思えるほど可愛いものや上品で高級感があるものなどが数多くあるが、好きな物を女性服やバックに吊り下げることができない問題があった。
【先行技術文献】
【特許文献】
【０００８】
【特許文献１】特開２０００−２０００４４号公報
【特許文献２】再公表２００８ー００１５７６号公報
【発明の概要】
【発明が解決しようとする課題】
【０００９】
本発明は上記問題を改善し、キャラクター人形や、フィギュア、筆記用具、携帯化粧品など形状が立体的な好みの小物を、服やバッグに吊り下げられると共に、小物の複数の面に接着して強固に接合することができる小物吊り下げホルダーを提供するものである。
【課題を解決するための手段】
【００１０】
本発明の請求項１記載の小物吊り下げホルダーは、本体部の上部に、フックまたはワンタッチバックルの連結部を形成すると共に、本体部の下部に、可撓性のある材料で形成した複数本のアームを外側に向かって広げて取付け、このアームの底面に、接着剤層を形成し、この表面に剥離紙を取付けたことを特徴とするものである。
【００１１】
本発明の請求項２記載の小物吊り下げホルダーは、請求項１において、アームが可撓性の布またはプラスチック、もしくは金属板で形成されていることを特徴とするものである。
【００１２】
本発明の請求項３記載の小物吊り下げホルダーは、請求項１または２において、複数本のアームが放射状、花びら状、もしくは動物状に形成されていることを特徴とするものである。
【００１３】
本発明の請求項４記載の小物吊り下げホルダーは、請求項１において、本体部の表面または内部に、装飾または広告が施されていることを特徴とするものである。
【発明の効果】
【００１４】
本発明に係る請求項１記載の小物吊り下げホルダーによれば、キャラクター人形やフィギュア、筆記用具、携帯化粧品など形状が立体的な好みの小物を、服やバッグに吊り下げられ、外出先でも筆記用具や携帯化粧品を直ぐに使用することができる共に、複数のアームが小物の複数の面に接着して強固に接合することができる。
【００１５】
また請求項２記載の小物吊り下げホルダーによれば、アームが可撓性の布またはプラスチック、もしくは金属板で形成されているので、立体的な小物をその形状に合わせて複数のアームを接着して、複数の面で支持するので強固に接合することができる。
【００１６】
また請求項３記載の小物吊り下げホルダーによれば、複数本のアームが放射状、花びら状、もしくは動物状に形成されているので、ファッション性やデザイン性に優れている。                                                        
【００１７】
また請求項４記載の小物吊り下げホルダーによれば、本体部の表面または内部に、装飾が施されているので、ファッション性やデザイン性に優れている。また広告が施されているものは広告効果に優れており、販売促進商品として効果的である。
【発明を実施するための最良の形態】
【００１８】
以下本発明の実施の一形態を、図面を参照して詳細に説明する。図１（Ａ）に示すように、小物吊り下げホルダー１は、硬質のプラスチックで半球状に形成された本体部２の上部に、半割りリング状のフックの連結部３を設け、本体部２の下部に、図２（Ａ）に示すように、フェルト４で形成した２本のアーム５を外側に向かって広げて直線状に取付け、このアーム５の底面に、図１（Ａ）に示すように、接着剤層６を形成し、この表面に剥離紙７を取付けたものである。
【００１９】
上記構成の小物吊り下げホルダー１は、図３に示すようにリップスティック１０を吊り下げる場合、図１（Ａ）に示す剥離紙７を剥離し、接着剤層６を露出させて、ここをリップスティック１０のキャップ１０Ａの上面と左右側面に押し付けて接着する。次に吊り下げ紐１２の下端に取付けた開閉フック１３を、本体部２の上部に設けたフックの連結部３に通して連結する。
【００２０】
この吊り下げ紐１２をバッグの手提げ部に取付けることにより、ファッション性に優れ、使用頻度の多いリップスティック１０を直ぐに使用することができる。また接着剤層６を設けた２本のアーム５をキャップ１０Ａの上面と左右側面の３方向から接着して取付けるので、強固に接合することができると共に、アーム５は可撓性のあるフェルト４で形成されているので立体的なリップスティック１０の形状に合わせて任意の部分に接着することができる。
【００２１】
また本体部２としては、この他に図４（Ａ）に示すようにパンダの人形１５や、図４（Ｂ）に示すように表面に広告１６を形成したものでも良い。更に図４（Ｃ）に示すように本体部２を透明なプラスチックで形成し、その内部に動物の人形１７を埋め込んで外部から透けて見える形状でも良い。
【００２２】
また本体部２の上部に設けたフックの連結部３としては、例えば図１（Ｂ）に示すように本体部２の上部内側にＵ字形通し孔１９を形成したものや、図１（Ｃ）に示すようにフック２０を設けたものでも良い。更に図１（Ｄ）に示すようにワンタッチバックル２１のオス部２１Ａを取付けた連結部３でも良く、これを吊り下げ紐１２となるベルト２２の下端に取付けたメス部２１Ｂに着脱自在に連結できる構造でも良い。
【００２３】
また本体部２の下部に取付けたアーム５の形状としては、例えば図２（Ｂ）に示すように三矢状や、図２（Ｃ）に示すように十字状、図２（Ｄ）に示すように８本のやじりが八方向に放射状に広がった構造でも良い。
【００２４】
またこの他のアーム５の形状としては、例えば図５（Ａ）、（Ｂ）に示すように花びら状や、同図（Ｃ）に示すように手形状でも良い。更に図６（Ａ）に示すように円板状のフェルト４に８本のスリット２４を形成して８枚の扇形アーム５を形成したものや、図６（Ｂ）に示すように正方形状のフェルト４に８本のスリット２４を形成して８枚の三角形状アーム５を形成した構造など、本体部２の下部から複数本のアーム２が外側に向かって広がった構造であれば何れの形状でも良い。
【００２５】
これらアーム５を形成する材料はフェルト４に限らず、織布や不織布、プラスチックのシート、薄い金属板など可撓性のある材料であれば良い。またプラスチックとして図７に示すように軟質なゴム状のシリコン樹脂でヒトデ状に形成したものでも良い。このシリコン樹脂で形成したアーム５を設けた小物吊り下げホルダー１は例えば図８に示すように、香水びん２５のキャップ２５Ａの上面と側面に複数の方向から接着する構造でも良い。
【００２６】
また図５（Ａ）に示すように花びら状のアーム５を設けた小物吊り下げホルダー１を使用して、図９に示すように電卓２７の上部に接着して吊り下げるようにしても良い。更に図１０に示すようにアーム５の先端側裏面にのみ接着剤層６を形成した小物吊り下げホルダー１を用いて、コップ２８の上部周縁に、アーム５の先端側を４方向から接着して吊り下げ、コップ２８に筆記用具２９を入れるようにしても良い。
【００２７】
なお上記説明では、吊り下げる小物として、リップスティックや香水、電卓、コップなどの場合について示したが、医薬品や、筆記用具などの文房具、キャラクター人形やフィギュア、アクセサリーなど携帯できる小型のものであればどれでも良い。
【図面の簡単な説明】
【００２８】
【図１】（Ａ）本発明の実施の一形態による、本体部の上部に半割りリング状の連結部を設けた小物吊り下げホルダーの正面図、（Ｂ）は本体部の上部内側にＵ字形通し孔を形成した小物吊り下げホルダーの正面図、（Ｃ）は本体部の上部にフックを設けた小物吊り下げホルダーの正面図、（Ｄ）は本体部の上部にワンタッチバックルのオス部を取付けた小物吊り下げホルダーの正面図である。
【図２】（Ａ）本発明の実施の一形態による本体部の底面に２本のアームを直線状に取付けた小物吊り下げホルダーの平面図、（Ｂ）は本体部の底面にアームを三矢状に取付けた小物吊り下げホルダーの平面図、（Ｃ）は本体部の底面にアームを十字状に取付けた小物吊り下げホルダーの平面図、（Ｄ）は本体部の底面に、８本のやじりが八方向に放射状に広がったアームを取付けた小物吊り下げホルダーの平面図である。
【図３】アームの底面の剥離紙を剥離して接着剤層を露出させて、このアームをリップスティックのキャップに接着した小物吊り下げホルダーの斜視図である。
【図４】（Ａ）本体部としてパンダの人形を用いた小物吊り下げホルダーの正面図、（Ｂ）は本体部の表面に広告を形成した小物吊り下げホルダーの正面図、（Ｃ）は本体部を透明なプラスチックで形成し、その内部に動物の人形を埋め込んだ小物吊り下げホルダーの正面図である。
【図５】（Ａ）は本体部の底面に取付けたアームを花びら状に形成した小物吊り下げホルダーの平面図、（Ｂ）は本体部の底面に取付けたアームを花びら状に形成した小物吊り下げホルダーの平面図、（Ｃ）は本体部の底面に取付けたアームを手形状に形成した小物吊り下げホルダーの平面図である。
【図６】（Ａ）は本体部の底面に取付けたアームを、円板に８本のスリットを形成して８枚に形成した小物吊り下げホルダーの平面図、（Ｂ）は本体部の底面に取付けたアームを、正方形板に８本のスリットを形成して８枚に形成した小物吊り下げホルダーの平面図である。
【図７】本体部の底面に取付けたアームをシリコン樹脂でヒトデ状に形成した小物吊り下げホルダーの斜視図である。
【図８】シリコン樹脂で形成したアームを、香水びんのキャップに接着した状態を示す斜視図である。
【図９】小物吊り下げホルダーのアームを電卓の上部に接着した状態を示す斜視図である。
【図１０】小物吊り下げホルダーのアームをコップの上部周縁に接着して吊り下げ、コップに筆記用具を入れた状態を示す斜視図である。
【符号の説明】
【００２９】
１      小物吊り下げホルダー                                
２      本体部                                              
３      連結部                                              
４      フェルト                                            
５      アーム                                              
６      接着剤層                                            
７      剥離紙                                              
１０    リップスティック                                    
１０Ａ  キャップ                                            
１２    吊り下げ紐                                          
１３    開閉フック                                          
１５    パンダの人形                                        
１６    広告                                                
１７    動物の人形                                          
１９    Ｕ字形通し孔                                        
２０    フック                                              
２１    ワンタッチバックル                                  
２１Ａ  オス部                                              
２１Ｂ  メス部                                              
２２    ベルト                                              
２４    スリット                                            
２５    香水びん  
２５Ａ  キャップ
２７    電卓  
２８    コップ  
２９    筆記用具  
【図１】
2015002831.tif 000003
【図２】
2015002831.tif 000004
【図３】
2015002831.tif 000005
【図４】
2015002831.tif 000006
【図５】
2015002831.tif 000007
【図６】
2015002831.tif 000008
【図７】
2015002831.tif 000009
【図８】
2015002831.tif 000010
【図９】
2015002831.tif 000011
【図１０】
2015002831.tif 000012